(57)【要約】【課題】テレビジョン信号受信装置において、１台のスマートアンテナで、同時に２つのチャンネルのテレビジョン信号を受信できるようにする。【解決手段】テレビジョン信号受信装置は、各チャンネルについて、スマートアンテナの各受信方向（方向１から方向８の８方向）における、第１のチューナ及び第２のチューナによるテレビジョン信号の受信感度（Ａ：非常に良好、Ｂ：良好、Ｃ：エラーレート補正が必要、Ｄ：ブロックノイズが発生、Ｅ：受信できない、の５段階）を判定し、その判定結果を受信感度テーブルに記憶する。そして、テレビジョン信号受信装置は、同時に２つのチャンネルのテレビジョン信号を受信するとき、受信感度テーブルの判定結果に基いて、スマートアンテナの電波の受信方向として、第１のチューナと第２のチューナが共にテレビジョン信号を正常に受信できる方向を判定して、スマートアンテナの電波の受信方向を、その方向に設定する。【選択図】図２
2011130302.tif 000002
【特許請求の範囲】
【請求項１】
電波の受信方向を変えることができるスマートアンテナが接続され、前記スマートアンテナを介してテレビジョン信号を受信するテレビジョン信号受信装置において、
前記スマートアンテナの電波の受信方向を制御する受信方向制御手段と、
テレビジョン信号のチャンネルが設定され、その設定されたチャンネルのテレビジョン信号を前記スマートアンテナを介して受信する第１のチューナと、
テレビジョン信号のチャンネルが設定され、その設定されたチャンネルのテレビジョン信号を前記スマートアンテナを介して受信する第２のチューナと、
任意に選択される２つの異なるチャンネルについて、前記第１のチューナが２つの異なるチャンネルのうちの一方のチャンネルのテレビジョン信号を正常に受信できると共に、前記第２のチューナが２つの異なるチャンネルのうちの他方のチャンネルのテレビジョン信号を正常に受信できる、前記スマートアンテナの電波の受信方向を判定する２チャンネル受信方向判定手段と、を備え、
前記受信方向制御手段は、
前記第１のチューナ及び前記第２のチューナに設定された２つのチャンネルについての前記２チャンネル受信方向判定手段による判定結果に基いて、前記スマートアンテナの電波の受信方向を、前記第１のチューナがテレビジョン信号を正常に受信できると共に、前記第２のチューナがテレビジョン信号を正常に受信できる方向に設定する、
ことを特徴とするテレビジョン信号受信装置。
【請求項２】
任意のチャンネルについて、前記スマートアンテナの各受信方向における、前記第１のチューナによるテレビジョン信号の受信感度を判定する第１の受信感度判定手段と、
任意のチャンネルについて、前記スマートアンテナの各受信方向における、前記第２のチューナによるテレビジョン信号の受信感度を判定する第２の受信感度判定手段とをさらに備え、
前記２チャンネル受信方向判定手段は、
前記第１のチューナに設定されたチャンネルについての前記第１の受信感度判定手段による判定結果と、前記第２のチューナに設定されたチャンネルについての前記第２の受信感度判定手段による判定結果とに基いて、前記第１のチューナが２つの異なるチャンネルのうちの一方のチャンネルのテレビジョン信号を正常に受信できると共に、前記第２のチューナが２つの異なるチャンネルのうちの他方のチャンネルのテレビジョン信号を正常に受信できる、前記スマートアンテナの電波の受信方向を判定する、
ことを特徴とする請求項１に記載のテレビジョン信号受信装置。
【発明の詳細な説明】
【技術分野】
【０００１】
本発明は、テレビジョン放送局から放送されるテレビジョン信号を受信するテレビジョン信号受信装置に関するものである。
【背景技術】
【０００２】
従来から、テレビジョン信号受信装置において、電波の受信方向を変えることができるスマートアンテナを接続して使用するものがある。スマートアンテナは、電波の受信方向を複数の異なる方向に切替えることができるアンテナであり、テレビジョン信号受信装置からの制御信号を受けて、電波の受信方向を変えるようになっている。すなわち、スマートアンテナを接続して使用するテレビジョン信号受信装置は、スマートアンテナに制御信号を送信して、スマートアンテナの電波の受信方向を制御するようになっている。
【０００３】
このようなテレビジョン信号受信装置では、スマートアンテナの電波の受信方向を、受信しようとするチャンネル（ある１つのチャンネル）のテレビジョン信号の受信感度が最も良くなる方向に設定するようになっている。そして、このようにスマートアンテナの電波の受信方向を設定した状態で、スマートアンテナを介してチューナによってテレビジョン信号を受信し、その受信したテレビジョン信号から、その受信したテレビジョン信号に基く映像の映像信号を生成するようになっている。
【０００４】
一方、１台のスマートアンテナが接続され、デジタルテレビジョン信号とアナログテレビジョン信号を選択的に受信できるようにしたテレビジョン信号受信装置が知られている（例えば特許文献１参照）。また、２台のスマートアンテナが接続され、あるチャンネルのテレビジョン信号を一方のスマートアンテナを介して受信しているときに、別のチャンネルにおける他方のスマートアンテナの最適な受信方向を更新するようにしたテレビジョン信号受信装置が知られている（例えば特許文献２参照）。また、１台のスマートアンテナが接続され、チャンネルを切換えたときのスマートアンテナの電波の受信方向の切換えを少なくするために、スマートアンテナの電波の受信方向を、最も多くのチャンネルのテレビジョン信号を正常に受信できる方向に設定するようにしたテレビジョン信号受信装置が知られている（例えば特許文献３参照）。
【先行技術文献】
【特許文献】
【０００５】
【特許文献１】特開２００６−４２１８１号公報
【特許文献２】特開２００９−８１５０８号公報
【特許文献３】特開２００５−３１８１３８号公報
【発明の概要】
【発明が解決しようとする課題】
【０００６】
ところで、テレビジョン信号受信装置において、チューナを２つ設けて、２つのチューナによって、同時に２つのチャンネルのテレビジョン信号を受信することができれば、同時に２つのチャンネルのテレビジョン信号の映像を得ることができ、便利である。この場合、２台のスマートアンテナを用いたのでは、高価になってしまう。すなわち、コスト面から、１台のスマートアンテナで、同時に２つのチャンネルのテレビジョン信号を受信することができる構成が要望される。
【０００７】
しかしながら、スマートアンテナの電波の受信方向を、一方のチューナで受信しようとするチャンネルのテレビジョン信号の受信感度が最も良くなる方向に設定したのでは、一方のチューナで受信しようとするチャンネルのテレビジョン信号を正常に受信することができるものの、他方のチューナで受信しようとするチャンネルのテレビジョン信号の受信感度が悪くなって、他方のチューナで受信しようとするチャンネルのテレビジョン信号を正常に受信することができない可能性がある。なお、上述した特許文献１乃至特許文献３に開示の内容を適用したとしても、上記の問題を解決することはできない。
【０００８】
本発明は、上記課題を解決するためになされたものであり、１台のスマートアンテナで、同時に２つのチャンネルのテレビジョン信号を受信することができるテレビジョン信号受信装置を提供することを目的とする。
【課題を解決するための手段】
【０００９】
上記目的を達成するために請求項１の発明は、電波の受信方向を変えることができるスマートアンテナが接続され、スマートアンテナを介してテレビジョン信号を受信するテレビジョン信号受信装置において、スマートアンテナの電波の受信方向を制御する受信方向制御手段と、テレビジョン信号のチャンネルが設定され、その設定されたチャンネルのテレビジョン信号をスマートアンテナを介して受信する第１のチューナと、テレビジョン信号のチャンネルが設定され、その設定されたチャンネルのテレビジョン信号をスマートアンテナを介して受信する第２のチューナと、任意に選択される２つの異なるチャンネルについて、第１のチューナが２つの異なるチャンネルのうちの一方のチャンネルのテレビジョン信号を正常に受信できると共に、第２のチューナが２つの異なるチャンネルのうちの他方のチャンネルのテレビジョン信号を正常に受信できる、スマートアンテナの電波の受信方向を判定する２チャンネル受信方向判定手段と、を備え、受信方向制御手段は、第１のチューナ及び第２のチューナに設定された２つのチャンネルについての２チャンネル受信方向判定手段による判定結果に基いて、スマートアンテナの電波の受信方向を、第１のチューナがテレビジョン信号を正常に受信できると共に、第２のチューナがテレビジョン信号を正常に受信できる方向に設定するものである。
【００１０】
請求項２の発明は、請求項１に記載のテレビジョン信号受信装置において、任意のチャンネルについて、スマートアンテナの各受信方向における、第１のチューナによるテレビジョン信号の受信感度を判定する第１の受信感度判定手段と、任意のチャンネルについて、スマートアンテナの各受信方向における、第２のチューナによるテレビジョン信号の受信感度を判定する第２の受信感度判定手段とをさらに備え、２チャンネル受信方向判定手段は、第１のチューナに設定されたチャンネルについての第１の受信感度判定手段による判定結果と、第２のチューナに設定されたチャンネルについての第２の受信感度判定手段による判定結果とに基いて、第１のチューナが２つの異なるチャンネルのうちの一方のチャンネルのテレビジョン信号を正常に受信できると共に、第２のチューナが２つの異なるチャンネルのうちの他方のチャンネルのテレビジョン信号を正常に受信できる、スマートアンテナの電波の受信方向を判定するものである。
【発明の効果】
【００１１】
請求項１及び請求項２の発明によれば、スマートアンテナの電波の受信方向が、第１のチューナによってテレビジョン信号を正常に受信できると共に、第２のチューナによってテレビジョン信号を正常に受信できる方向に設定されるため、１台のスマートアンテナで、同時に２つのチャンネルのテレビジョン信号を受信することができる。これにより、安価な構成によって、同時に２つのチャンネルのテレビジョン信号に基く映像を得ることができる構成を実現することができる。
【図面の簡単な説明】
【００１２】
【図１】本発明の一実施形態に係るテレビジョン信号受信装置の概略構成を示す電気的ブロック構成図。
【図２】（ａ）は同テレビジョン信号受信装置の第１の受信感度テーブルを示す図、（ｂ）は第２の受信感度テーブルを示す図。
【図３】同テレビジョン信号受信装置の２チャンネル視聴動作を示すフローチャート。
【発明を実施するための形態】
【００１３】
以下、本発明を具体化した実施形態によるテレビジョン信号受信装置について図面を参照して説明する。図１は、本実施形態によるテレビジョン信号受信装置の構成を示す。テレビジョン信号受信装置１は、テレビジョン放送局から電波の形態で放送されるテレビジョン信号を受信する装置である。
【００１４】
このテレビジョン信号受信装置１は、テレビジョン信号を受信するためのアンテナとして、電波の受信方向を変えることができるスマートアンテナ２が接続され、スマートアンテナ２を介してテレビジョン信号を受信するようになっている。スマートアンテナ２は、ＥＩＡ−９０９規格に準拠したアンテナであり、電波の受信方向を８方向に変えることができるようになっている。テレビジョン信号受信装置１は、スマートアンテナ２に制御信号を送信することにより、スマートアンテナ２の電波の受信方向を制御（８方向のうちのいずれかの方向に設定）するようになっている。
【００１５】
また、このテレビジョン信号受信装置１は、テレビジョン信号に基く映像、音声を出力するための外部装置３が接続され、テレビジョン信号に基く映像、音声を外部装置３によって出力するようになっている。また、このテレビジョン信号受信装置１は、同時に２つのチャンネルのテレビジョン信号を受信する機能を有している。
【００１６】
テレビジョン信号受信装置１は、第１のチューナ１１と、第２のチューナ１２と、第１のデコーダ１３と、第２のデコーダ１４と、光ディスクドライブ装置１５と、映像音声処理部１６と、リモコン１７と、リモコン受信部１８と、テレビジョン信号受信装置１の動作を制御する制御部（受信方向制御手段、２チャンネル受信方向判定手段、第１の受信感度判定手段、第２の受信感度判定手段）１９等を備える。
【００１７】
第１のチューナ１１は、制御部１９による制御のもと、テレビジョン信号のチャンネルが設定されることにより、その設定されたチャンネルのテレビジョン信号をスマートアンテナ２を介して受信する。第２のチューナ１２は、制御部１９による制御のもと、テレビジョン信号のチャンネルが設定されることにより、その設定されたチャンネルのテレビジョン信号をスマートアンテナ２を介して受信する。
【００１８】
第１のデコーダ１３は、制御部１９による制御のもと、第１のチューナ１１により受信したテレビジョン信号をデコード処理して、第１のチューナにより受信したテレビジョン信号（第１のチューナ１１に設定されたチャンネルのテレビジョン信号）から映像信号、及び音声信号を生成する。第２のデコーダ１４は、制御部１９による制御のもと、第２のチューナ１２により受信したテレビジョン信号をデコード処理して、第２のチューナにより受信したテレビジョン信号（第２のチューナ１２に設定されたチャンネルのテレビジョン信号）から映像信号、及び音声信号を生成する。
【００１９】
光ディスクドライブ装置１５は、ＤＶＤ、ＢＤ（ブルーレイディスク）等の光ディスク５０が装着／取外しされるようになっており、制御部１９による制御のもと、第１のデコーダ１３により生成された映像信号及び第２のデコーダ１４により生成された映像信号を光ディスク５０に記録する。また、光ディスクドライブ装置１５は、制御部１９による制御のもと、光ディスク５０に記録されている映像信号を読出す。
【００２０】
映像音声処理部１６は、制御部１９による制御のもと、第１のデコーダ１３により生成された映像信号の映像、第２のデコーダ１４により生成された映像信号の映像、及び光ディスクドライブ装置１５により光ディスク５０から読出した映像信号の映像を、選択的に外部装置３によって表示するために、それらの映像信号の出力を切換えて、それらの映像信号を選択的に出力する。また、映像音声処理部１６は、制御部１９による制御のもと、第１のデコーダ１３により生成された映像信号の映像、第２のデコーダ１４により生成された映像信号の映像、及び光ディスクドライブ装置１５により光ディスク５０から読出した映像信号の映像を、種々の表示形態で外部装置３によって出力するために、それらの映像信号を加工処理して、その加工処理後の映像信号を出力する。
【００２１】
また、映像音声処理部１６は、制御部１９による制御のもと、第１のデコーダ１３により生成された音声信号の音声、第２のデコーダ１４により生成された音声信号の音声、及び光ディスクドライブ装置１５により光ディスク５０から読出した音声信号の音声を、選択的に外部装置３によって出力するために、それらの音声信号の出力を切換えて、それらの音声信号を選択的に出力する。
【００２２】
映像音声処理部１６から出力された映像信号及び音声信号は、外部装置３に供給され、これにより、映像音声処理部１６から出力された映像信号による映像が外部装置３のディスプレイ３１に表示されると共に、映像音声処理部１６から出力された音声信号による音声が外部装置３のスピーカ３２から出力される。
【００２３】
リモコン１７は、テレビジョン信号受信装置１の電源のオン／オフ、受信するテレビジョン信号のチャンネルの選択等、テレビジョン信号受信装置１の各種動作を指示するためにユーザにより操作され、その操作内容を示す操作信号を送信する。リモコン受信部１８は、リモコン１７から送信された操作信号を受信して、リモコン１７の操作内容を示すリモコン受信信号を出力する。
【００２４】
制御部１９は、リモコン受信部１８から出力されるリモコン受信信号に基いて、ユーザによるリモコン１７の操作内容を判断し、ユーザによるリモコン１７の操作を受けて、テレビジョン信号受信装置１の各種動作を制御する。
【００２５】
制御部１９は、第１のチューナ１１にテレビジョン信号のチャンネルを設定することにより、第１のチューナ１１によるテレビジョン信号の受信を制御する。第１のチューナ１１にチャンネルが設定されることにより、その設定されたチャンネルのテレビジョン信号がスマートアンテナ２を介して第１のチューナ１１によって受信される。また、制御部１９は、第２のチューナ１２にテレビジョン信号のチャンネルを設定することにより、第２のチューナ１２によるテレビジョン信号の受信を制御する。第２のチューナ１２にチャンネルが設定されることにより、その設定されたチャンネルのテレビジョン信号がスマートアンテナ２を介して第２のチューナ１２によって受信される。
【００２６】
また、制御部１９は、スマートアンテナ２に制御信号（電波の受信方向を示す信号）を送信することにより、スマートアンテナ２の電波の受信方向を制御する。スマートアンテナ２に制御信号が送信されることにより、スマートアンテナ２の電波の受信方向が、その制御信号の示す電波の受信方向に設定される。
【００２７】
また、制御部１９は、オートスキャン動作を行う。オートスキャン動作とは、テレビジョン信号の受信感度を判定し、テレビジョン信号の受信感度を記憶する動作である。
【００２８】
オートスキャン動作では、制御部１９は、テレビジョン信号の各チャンネルについて、スマートアンテナ２の電波の各受信方向における、第１のチューナ１１によるテレビジョン信号の受信感度を判定すると共に、テレビジョン信号の各チャンネルについて、スマートアンテナ２の電波の各受信方向における、第２のチューナ１２によるテレビジョン信号の受信感度を判定する。
【００２９】
つまり、制御部１９は、第１のチューナ１１及び第２のチューナ１２に各テレビジョン信号のチャンネルを順次設定（例えば、チャンネル１、チャンネル２、チャンネル３、・・・の順に設定）すると共に、第１のチューナ１１及び第２のチューナ１２に各テレビジョン信号のチャンネルを設定した状態でスマートアンテナ２の電波の受信方向を順次変化（例えば、方向１、方向２、方向３、・・・の順に変化）させる。そして、制御部１９は、それら各々の状態（第１のチューナ１１及び第２のチューナ１２に設定された各チャンネルについての、スマートアンテナ２の電波の各受信方向）において第１のチューナ１１により受信されたテレビジョン信号、及び第１のデコーダ１３により生成された映像信号に基いて、それら各々の状態における、第１のチューナ１１によるテレビジョン信号の受信感度を判定する。また、制御部１９は、それら各々の状態において第２のチューナ１２により受信されたテレビジョン信号、及び第２のデコーダ１４により生成された映像信号に基いて、それら各々の状態における、第２のチューナ１２によるテレビジョン信号の受信感度を判定する。
【００３０】
このとき、制御部１９は、第１のチューナ１１によるテレビジョン信号の受信感度を、第１のチューナ１１により受信されたテレビジョン信号におけるエラーレートや、第１のデコーダ１３により生成された映像信号におけるブロック歪の程度等に応じて、Ａ：非常に良好、Ｂ：良好、Ｃ：エラーレート補正が必要、Ｄ：ブロックノイズが発生、Ｅ：受信できない、の５段階で判定する。また、制御部１９は、第２のチューナ１２によるテレビジョン信号の受信感度を、第２のチューナ１２により受信されたテレビジョン信号におけるエラーレートや、第２のデコーダ１４により生成された映像信号におけるブロック歪の程度等に応じて、Ａ：非常に良好、Ｂ：良好、Ｃ：エラーレート補正が必要、Ｄ：ブロックノイズが発生、Ｅ：受信できない、の５段階で判定する。
【００３１】
そして、オートスキャン動作では、制御部１９は、これら第１のチューナ１１によるテレビジョン信号の受信感度の判定結果、及び第２のチューナ１２によるテレビジョン信号の受信感度の判定結果を、第１の受信感度テーブル、及び第２の受信感度テーブルとして、制御部１９内のメモリに記憶する。第１の受信感度テーブルは、第１のチューナ１１による、テレビジョン信号の各チャンネルについての、スマートアンテナ２の電波の各受信方向における、テレビジョン信号の受信感度を示すテーブルである。第２の受信感度テーブルは、第２のチューナ１２による、テレビジョン信号の各チャンネルについての、スマートアンテナ２の電波の各受信方向における、テレビジョン信号の受信感度を示すテーブルである。
【００３２】
図２（ａ）は、第１の受信感度テーブルを示し、図２（ｂ）は、第２の受信感度テーブルを示す。
【００３３】
図２（ａ）に示す例では、第１のチューナ１１によるテレビジョン信号の受信感度に関し、「チャンネル３」については、スマートアンテナ２の電波の受信方向が「方向１」のときの受信感度が「Ｂ」であり、「方向２」のときの受信感度が「Ａ」であり、「方向３」のときの受信感度が「Ｂ」であり、「方向４」のときの受信感度が「Ｃ」であり、「方向５」のときの受信感度が「Ｄ」であり、「方向６」のときの受信感度が「Ｅ」であり、「方向７」のときの受信感度が「Ｄ」であり、「方向８」のときの受信感度が「Ｃ」であることを示している。
【００３４】
また、第１のチューナ１１によるテレビジョン信号の受信感度に関し、「チャンネル４」については、スマートアンテナ２の電波の受信方向が「方向１」のときの受信感度が「Ｅ」であり、「方向２」のときの受信感度が「Ｅ」であり、「方向３」のときの受信感度が「Ｄ」であり、「方向４」のときの受信感度が「Ｃ」であり、「方向５」のときの受信感度が「Ｂ」であり、「方向６」のときの受信感度が「Ｂ」であり、「方向７」のときの受信感度が「Ｃ」であり、「方向８」のときの受信感度が「Ｄ」であることを示している。なお、「チャンネル３」、「チャンネル４」以外のチャンネルについての受信感度については、図示を省略している。
【００３５】
図２（ｂ）に示す例では、第２のチューナ１２によるテレビジョン信号の受信感度に関し、「チャンネル３」については、スマートアンテナ２の電波の受信方向が「方向１」のときの受信感度が「Ｂ」であり、「方向２」のときの受信感度が「Ａ」であり、「方向３」のときの受信感度が「Ｂ」であり、「方向４」のときの受信感度が「Ｃ」であり、「方向５」のときの受信感度が「Ｄ」であり、「方向６」のときの受信感度が「Ｄ」であり、「方向７」のときの受信感度が「Ｄ」であり、「方向８」のときの受信感度が「Ｃ」であることを示している。
【００３６】
また、第２のチューナ１２によるテレビジョン信号の受信感度に関し、「チャンネル４」については、スマートアンテナ２の電波の受信方向が「方向１」のときの受信感度が「Ｅ」であり、「方向２」のときの受信感度が「Ｄ」であり、「方向３」のときの受信感度が「Ｄ」であり、「方向４」のときの受信感度が「Ｃ」であり、「方向５」のときの受信感度が「Ｂ」であり、「方向６」のときの受信感度が「Ｂ」であり、「方向７」のときの受信感度が「Ｃ」であり、「方向８」のときの受信感度が「Ｄ」であることを示している。なお、「チャンネル３」、「チャンネル４」以外のチャンネルについての受信感度については、図示を省略している。
【００３７】
また、制御部１９は、視聴動作を行う。視聴動作とは、テレビジョン信号を受信して、そのテレビジョン信号に基く映像信号及び音声信号を外部装置３に出力、又は、光ディスク５０に記録（録画）する動作である。視聴動作には、１チャンネル視聴動作と、２チャンネル視聴動作とがある。
【００３８】
１チャンネル視聴動作とは、１つのチャンネルのテレビジョン信号を受信して、そのテレビジョン信号に基く映像信号及び音声信号を外部装置３に出力、又は、光ディスク５０に記録する動作である。
【００３９】
２チャンネル視聴動作とは、２つの異なるチャンネルのテレビジョン信号を受信して、それら２つの異なるチャンネルのテレビジョン信号に基く映像信号及び音声信号を外部装置３に出力、又は、光ディスク５０に記録する動作である。
【００４０】
１チャンネル視聴動作では、制御部１９は、ユーザにより任意に選択されたチャンネルを第１のチューナ１１に設定する。
【００４１】
また、１チャンネル視聴動作では、制御部１９は、第１のチューナ１１に設定するチャンネル（すなわち、ユーザにより任意に選択されるチャンネル）について、第１の受信感度テーブルを参照して（すなわち、第１のチューナ１１に設定するチャンネルについての上記オートスキャン動作による受信感度の判定結果に基いて）、設定すべき最適なスマートアンテナ２の電波の受信方向を判定する。
【００４２】
すなわち、制御部１９は、第１の受信感度テーブルを参照して、第１のチューナ１１によるテレビジョン信号の受信感度が最も良いスマートアンテナ２の電波の受信方向を、設定すべき最適なスマートアンテナ２の電波の受信方向として判定する。例えば、第１のチューナ１１に「チャンネル３」を設定する場合、第１のチューナ１１によるテレビジョン信号の受信感度が上記図２（ａ）に示す例のようであれば、「方向２」のときの受信感度が「Ａ」で最も良いため、「方向２」を、設定すべき最適なスマートアンテナ２の電波の受信方向として判定する。そして、制御部１９は、この判定結果に基いて、スマートアンテナ２の電波の受信方向を、設定すべき最適なスマートアンテナ２の電波の受信方向として判定した方向に設定する。
【００４３】
そして、１チャンネル視聴動作では、制御部１９は、第１のデコーダ１３により、第１のチューナ１１により受信したテレビジョン信号から映像信号及び音声信号を生成させ、それらの映像信号及び音声信号を出力させる（ユーザによる指示に応じて、映像音声処理部１６を介して出力させ、又は、光ディスクドライブ装置１５により光ディスク５０に記録させる）。
【００４４】
２チャンネル視聴動作では、制御部１９は、ユーザにより任意に選択された２つの異なるチャンネルを第１のチューナ１１と第２のチューナ１２に設定する。
【００４５】
また、２チャンネル視聴動作では、制御部１９は、第１のチューナ１１と第２のチューナ１２に設定する２つのチャンネル（すなわち、ユーザにより任意に選択される２つの異なるチャンネル）について、第１の受信感度テーブル及び第２の受信感度テーブルを参照して（すなわち、第１のチューナ１１に設定されたチャンネルについての上記オートスキャン動作による受信感度の判定結果と、第２のチューナ１２に設定されたチャンネルについての上記オートスキャン動作による受信感度の判定結果とに基いて）、設定すべき最適なスマートアンテナ２の電波の受信方向を判定する。
【００４６】
すなわち、制御部１９は、第１の受信感度テーブル及び第２の受信感度テーブルを参照して、第１のチューナ１１と第２のチューナ１２に設定する２つのチャンネルを同時に受信できる（第１のチューナ１１が２つの異なるチャンネルのうちの一方のチャンネルのテレビジョン信号を正常に受信できると共に、第２のチューナ１２が２つの異なるチャンネルのうちの他方のチャンネルのテレビジョン信号を正常に受信できる）、スマートアンテナ２の電波の受信方向を判定する。ここで、テレビジョン信号を正常に受信できるとは、受信感度が「Ａ（非常に良好）」、「Ｂ（良好）」、「Ｃ（エラーレート補正が必要）」、「Ｄ（ブロックノイズが発生）」のいずれかのときである。
【００４７】
そして、制御部１９は、第１のチューナ１１と第２のチューナ１２に設定する２つのチャンネルを同時に受信できるスマートアンテナ２の電波の受信方向のうち、第１のチューナ１１による受信感度と第２のチューナ１２による受信感度が総合的に最も良いスマートアンテナ２の電波の受信方向を、設定すべき最適なスマートアンテナ２の電波の受信方向として判定する。
【００４８】
ここで、制御部１９は、各方向において、第１のチューナ１１による受信感度と第２のチューナ１２による受信感度のうちの受信感度の悪い側の受信感度に着目し、それら受信感度の悪い側の受信感度が良い方向を、総合的に良い方向と判定する。例えば、「方向１」において、第１のチューナ１１による受信感度が「Ａ」、第２のチューナ１２による受信感度が「Ｄ」であり、「方向２」において、第１のチューナ１１による受信感度が「Ｃ」、第２のチューナ１２による受信感度が「Ｂ」である場合には、「方向１」における受信感度の悪い側の（第２のチューナ１２の）受信感度「Ｄ」と「方向２」における受信感度の悪い側の（第１のチューナ１１の）受信感度「Ｃ」に着目し、「方向２」を、総合的に良い方向であると判定する。
【００４９】
但し、受信感度の悪い側の受信感度が同じである場合には、受信感度の良い側の受信感度に着目し、受信感度の良い側の受信感度が良い方向を、総合的に良い方向と判定する。例えば、「方向３」において、第１のチューナ１１による受信感度が「Ｃ」、第２のチューナ１２による受信感度が「Ｄ」であり、「方向４」において、第１のチューナ１１による受信感度が「Ｂ」、第２のチューナ１２による受信感度が「Ｄ」である場合には、「方向３」における受信感度の悪い側の（第２のチューナ１２の）受信感度「Ｄ」と「方向４」における受信感度の悪い側の（第２のチューナ１２の）受信感度「Ｄ」が同じであるため、「方向３」における受信感度の良い側の（第１のチューナ１１の）受信感度「Ｃ」と「方向４」における受信感度の良い側の（第１のチューナ１１の）受信感度「Ｂ」に着目し、「方向４」を、総合的に良い方向であると判定する。
【００５０】
従って、例えば、第１のチューナ１１に「チャンネル３」を設定すると共に第２のチューナ１２に「チャンネル４」を設定する場合、第１のチューナ１１及び第２のチューナ１２によるテレビジョン信号の受信感度が上記図２（ａ）（ｂ）に示す例のようであれば、「方向４」を、第１のチューナ１１による受信感度と第２のチューナ１２による受信感度が総合的に最も良い方向と判定し、設定すべき最適なスマートアンテナ２の電波の受信方向として判定する。そして、制御部１９は、この判定結果に基いて、スマートアンテナ２の電波の受信方向を、設定すべき最適なスマートアンテナ２の電波の受信方向として判定した方向（第１のチューナ１１がテレビジョン信号を正常に受信できると共に、第２のチューナ１２がテレビジョン信号を正常に受信できる方向）に設定する。
【００５１】
そして、２チャンネル視聴動作では、制御部１９は、第１のデコーダ１３により、第１のチューナ１１により受信したテレビジョン信号から映像信号及び音声信号を生成させると共に、第２のデコーダ１４により、第２のチューナ１２により受信したテレビジョン信号から映像信号及び音声信号を生成させ、それらの映像信号及び音声信号を出力させる（ユーザによる指示（２つのチャンネルの映像を同時に表示する指示や、一方のチャンネルの映像を表示して他方のチャンネルの映像を録画する指示等）に応じて、映像音声処理部１６を介して出力させ、又は、光ディスクドライブ装置１５により光ディスク５０に記録させる）。
【００５２】
図３は、上記テレビジョン信号受信装置１の２チャンネル視聴動作のフローチャートを示す。２チャンネル視聴動作は、例えば、１チャンネル視聴動作中に、ユーザにより２チャンネル視聴動作を行う指示がなされることにより開始される。
【００５３】
２チャンネル視聴動作において、制御部１９は、ユーザにより選択された２つのチャンネルを第１のチューナ１１と第２のチューナ１２に設定する（＃１）。また、制御部１９は、第１の受信感度テーブル及び第２の受信感度テーブルを参照して、第１のチューナ１１と第２のチューナ１２に設定する２つのチャンネルを同時に受信できる、スマートアンテナ２の電波の受信方向を判定し（＃２）、スマートアンテナ２の電波の受信方向を、第１のチューナ１１と第２のチューナ１２に設定する２つのチャンネルを同時に受信できる方向に設定する（＃３）。
【００５４】
そして、制御部１９は、第１のデコーダ１３及び第２のデコーダ１４により、２つのチャンネルのテレビジョン信号（第１のチューナ１１及び第２のチューナ１２により受信したテレビジョン信号）から映像信号及び音声信号を生成させ、それらの映像信号及び音声信号を出力させる（＃４）。
【００５５】
その後、ユーザによりチャンネルを変更する指示がなされると（＃５でＹＥＳ）、制御部１９は、上記＃１以降の処理を繰り返す。そして、ユーザにより２チャンネル視聴動作を終了する指示（１チャンネル視聴動作を行う指示や電源をオフする指示等を含む）がなされると（＃６でＹＥＳ）、制御部１９は、２チャンネル視聴動作を終了する。
【００５６】
このような構成のテレビジョン信号受信装置１によれば、スマートアンテナ２の電波の受信方向が、第１のチューナ１１によってテレビジョン信号を正常に受信できると共に、第２のチューナ１２によってテレビジョン信号を正常に受信できる方向に設定されるため、１台のスマートアンテナ２で、同時に２つのチャンネルのテレビジョン信号を受信することができる。これにより、安価な構成によって、同時に２つのチャンネルのテレビジョン信号に基く映像を得ることができる構成を実現することができる。
【００５７】
なお、本発明は、上記実施形態の構成に限られず、種々の変形が可能である。例えば、１チャンネル視聴動作において、ユーザにより任意に選択されたチャンネルを第２のチューナに設定して、ユーザにより任意に選択されたチャンネルのテレビジョン信号を第２のチューナによって受信するようにしてもよい。また、第１のチューナによる受信感度と第２のチューナによる受信感度は、ほぼ同じであるため、第１の受信感度テーブルと第２の受信感度テーブルのいずれか一方のみを作成して記憶するようにしてもよい。また、オートスキャン動作時に、２チャンネル視聴動作において設定すべきスマートアンテナの電波の受信方向を判定して、その判定結果を記憶しておくようにしてもよい。また、テレビジョン信号受信装置は、ディスプレイ及びスピーカを一体的に備えたタイプのものであってもよい。
【符号の説明】
【００５８】
１    テレビジョン信号受信装置
２    スマートアンテナ
３    外部装置
１１    第１のチューナ
１２    第２のチューナ
１３    第１のデコーダ
１４    第２のデコーダ
１５    光ディスクドライブ装置
１６    映像音声処理部
１７    リモコン
１８    リモコン受信部
１９    制御部（受信方向制御手段、２チャンネル受信方向判定手段、第１の受信感度判定手段、第２の受信感度判定手段）
３１    ディスプレイ
３２    スピーカ
５０    光ディスク
【図１】
2011130302.tif 000003
【図２】
2011130302.tif 000004
【図３】
2011130302.tif 000005